(57)【要約】【課題】ケーシングの内側に生じた空きスペースを、他の付属品、特に広告の取り付け箇所として有効に活用することができる照明装置を提供する。【解決手段】天井側に取り付けられて下方に向かい内側が開口するケーシング１１を備え、その内側に延出部１４が一体に形成され、延出部１４は、光源２０を組み付ける部位の他に、他の付属品として中吊り広告３０を取り付けることが可能な取付空間１７を有している。【選択図】図１
2014048420.tif 000002
【特許請求の範囲】
【請求項１】
天井側に取り付けられて下方に向かい内側が開口するケーシングを備え、該ケーシングに組み付けられた光源からの直接光がケーシングの内側で反射され、該反射された間接光によりケーシングの外側を少なくとも間接的に照らす照明装置において、
前記ケーシングの内側の所定箇所より、下方に向かって一体に延出して、前記光源が所定の配光向きに組み付けられると共に、該光源からの直接光のうち下方に向かう照射範囲の一部を遮る延出部を備え、
前記延出部は、前記光源を組み付ける部位の他に、該光源以外の付属品を取り付けることが可能な取付空間を有することを特徴とする照明装置。
【請求項２】
前記延出部の取付空間は、下方を向く開口溝と、該開口溝の内側に拡がる内部空隙を備え、前記付属品の一部分を、前記内部空隙に収納した状態に取り付けると共に、前記付属品の他部分を、前記開口溝より下方に露出させることを特徴とする請求項１に記載の照明装置。
【請求項３】
前記付属品は中吊り広告であり、該中吊り広告の上端側の保持手段を、前記取付空間の内部空隙に収納した状態に取り付けると共に、該中吊り広告の上端側より下方の紙面を前記取付空間の開口溝より下方に垂下させることを特徴とする請求項２に記載の照明装置。
【請求項４】
前記中吊り広告の全部を、前記取付空間の内部空隙に収納可能としたことを特徴とする請求項３に記載の照明装置。
【請求項５】
前記中吊り広告には、立体的形状のものも含まれることを特徴とする請求項３または４に記載の照明装置。
【請求項６】
前記ケーシングは、長尺に延びる同一断面の形状であって、その長手方向に延びる中央部より両側に拡がり互いに平行に延びる両側部は、それぞれ徐々に下向きに湾曲した円弧形断面に形成されて、該円弧形断面の内側が反射面となり、
前記延出部は、前記ケーシングの長手方向に延びる同一断面の形状であって、前記中央部から一対の側壁リブが左右対称に下方に向かい鉛直より上向きの角度で互いに離隔するように垂下し、それぞれの下端に上向きに湾曲した円弧断面の底壁リブが連結してなり、
前記一対の底壁リブの互いに対向した端縁間の隙間が前記取付空間の開口溝となり、前記一対の側壁リブおよび底壁リブで囲まれた内側が前記取付空間の内部空隙となり、
前記一対の側壁リブの外面に沿って、前記光源を長手方向に並べて組み付けることを特徴とする請求項１，２，３，４または５に記載の照明装置。
【請求項７】
前記付属品には、香りを放出する芳香器が含まれることを特徴とする請求項１，２，３，４，５または６に記載の照明装置。
【発明の詳細な説明】
【技術分野】
【０００１】
本発明は、天井側に取り付けられるケーシングを備え、該ケーシングに組み付けられた光源からの直接光がケーシングの内側で反射され、該反射された間接光によりケーシングの外側を少なくとも間接的に照らす照明装置に関し、特に鉄道車両等の乗物の客室内における照明に用いられるものである。
【背景技術】
【０００２】
従来より、鉄道車両等の乗物の客室内に用いる照明装置としては、蛍光管やＬＥＤ等の光源の直接光により客室内を照らす直接照明方式と、間接光により客室内を照らす間接照明方式とがある。本件出願人も、特許文献１に示すように、溶融滴下を防止することで安全性に優れた間接照明方式の照明装置を既に提案している。また、これに関連して配光制御を工夫した別の照明装置も、未だ出願公開前であるが特願２０１１−２３６２４１号として既に出願している。
【０００３】
ところで、鉄道車両の客室内には、前述の照明装置とは別に広告が設けられていることが多い。このような広告として特許文献２には、天井下方に吊り下げられる矩形状縁枠の内側にベースボードを設け、ベースボードの表裏両面に広告シートをワンタッチで交換自在に装着できるものが開示されている。また、別の広告として特許文献３には、天井寄りにエンドレス環状経路をなすレール部材を付設し、レール部材に沿って走行可能で広告紙媒体を吊り下げる連動部材を設け、連動部材を走行駆動することで広告紙媒体を循環移動させるものが開示されている。
【０００４】
何れの広告も、前述の照明装置とは全く関係なく客室内に設けられるものであり、また、照明装置も、本来の目的である照明だけに用をなすものであった。すなわち、従来一般の照明装置、特に直接照明方式のものでは、これを広告媒体として活用するような発想は全くなく、また、広告媒体を取り付けるようなスペース的な余裕もなかった。
【先行技術文献】
【特許文献】
【０００５】
【特許文献１】特開２０１２−０１７０９０号公報
【特許文献２】実用新案登録第３０７８６３０号公報
【特許文献３】特開２０１１−０５９２１７号公報
【発明の概要】
【発明が解決しようとする課題】
【０００６】
しかしながら、前述した特許文献１に開示された照明装置や、特願２０１１−２３６２４１号として出願された照明装置では、従来一般の照明装置とは異なり、光源を組み込むケーシングの内側には光源からの直接光を遮るための構造（受け部）があり、この構造も含めてケーシングの内側にスペース的な余裕があった。そのため、ケーシングの内側における空きスペースの有効活用が望まれていた。
【０００７】
また、広告に関しては、前述した特許文献２，３に開示された構成のように、特別な配設スペースが必要となるため、照明装置が設けられている箇所には設置することができないという取り付け上の制約があった。さらに、照明装置を回避した箇所に広告を設置すれば、広告に光が充分に照射されない虞があり、広告面が暗くて見えにくいという実用上の問題もあった。
【０００８】
本発明は、以上のような従来の技術の有する問題点に着目してなされたものであり、照明装置におけるケーシングの内側に生じた空きスペースを、他の付属品の取り付け箇所として有効に活用することができ、例えば広告を取り付けた場合には、該広告を明るく照らすことができ、さらに、照明装置に広告媒体という付加価値を加えることにより、商品価値を高めることができると共に広告収入を得ることも可能となる照明装置を提供することを目的としている。
【課題を解決するための手段】
【０００９】
前述した目的を達成するための本発明の要旨とするところは、以下の各項の発明に存する。  
［１］天井側に取り付けられて下方に向かい内側が開口するケーシング（１１）を備え、該ケーシング（１１）に組み付けられた光源（２０）からの直接光がケーシング（１１）の内側で反射され、該反射された間接光によりケーシング（１１）の外側を少なくとも間接的に照らす照明装置（１０，１０Ａ，１０Ｂ）において、
前記ケーシング（１１）の内側の所定箇所より、下方に向かって一体に延出して、前記光源（２０）が所定の配光向きに組み付けられると共に、該光源（２０）からの直接光のうち下方に向かう照射範囲の一部を遮る延出部（１４）を備え、
前記延出部（１４）は、前記光源（２０）を組み付ける部位の他に、該光源（２０）以外の付属品を取り付けることが可能な取付空間（１７）を有することを特徴とする照明装置（１０，１０Ａ，１０Ｂ）。
【００１０】
［２］前記延出部（１４）の取付空間（１７）は、下方を向く開口溝（１７ａ）と、該開口溝（１７ａ）の内側に拡がる内部空隙（１７ｂ）を備え、前記付属品の一部分を、前記内部空隙（１７ｂ）に収納した状態に取り付けると共に、前記付属品の他部分を、前記開口溝（１７ａ）より下方に露出させることを特徴とする［１］に記載の照明装置（１０，１０Ａ，１０Ｂ）。
【００１１】
［３］前記付属品は中吊り広告（３０）であり、該中吊り広告（３０）の上端側の保持手段（３１，４０，５０）を、前記取付空間（１７）の内部空隙（１７ｂ）に収納した状態に取り付けると共に、該中吊り広告（３０）の上端側より下方の紙面を前記取付空間（１７）の開口溝（１７ａ）より下方に垂下させることを特徴とする［２］に記載の照明装置（１０，１０Ａ，１０Ｂ）。
【００１２】
［４］前記中吊り広告（３０）の全部を、前記取付空間（１７）の内部空隙（１７ｂ）に収納可能としたことを特徴とする［３］に記載の照明装置（１０Ｂ）。
【００１３】
［５］前記中吊り広告（３０）には、立体的形状のものも含まれることを特徴とする［３］または［４］に記載の照明装置（１０，１０Ａ，１０Ｂ）。
【００１４】
［６］前記ケーシング（１１）は、長尺に延びる同一断面の形状であって、その長手方向に延びる中央部（１２）より両側に拡がり互いに平行に延びる両側部（１３，１３）は、それぞれ徐々に下向きに湾曲した円弧形断面に形成されて、該円弧形断面の内側が反射面（１３ａ）となり、
前記延出部（１４）は、前記ケーシング（１１）の長手方向に延びる同一断面の形状であって、前記中央部（１２）から一対の側壁リブ（１５）が左右対称に下方に向かい鉛直より上向きの角度で互いに離隔するように垂下し、それぞれの下端に上向きに湾曲した円弧断面の底壁リブ（１６）が連結してなり、
前記一対の底壁リブ（１６）の互いに対向した端縁間の隙間が前記取付空間（１７）の開口溝（１７ａ）となり、前記一対の側壁リブ（１５）および底壁リブ（１６）で囲まれた内側が前記取付空間（１７）の内部空隙（１７ｂ）となり、
前記一対の側壁リブ（１５）の外面に沿って、前記光源（２０）を長手方向に並べて組み付けることを特徴とする［１］，［２］，［３］，［４］または［５］に記載の照明装置（１０，１０Ａ，１０Ｂ）。
【００１５】
［７］前記付属品には、香りを放出する芳香器が含まれることを特徴とする［１］，［２］，［３］，［４］，［５］または［６］に記載の照明装置（１０，１０Ａ，１０Ｂ）。
【００１６】
次に、前述した解決手段に基づく作用を説明する。  
前記［１］に記載の照明装置（１０，１０Ａ，１０Ｂ）によれば、天井側に取り付けたケーシング（１１）は下方に向かい内側が開口する。このケーシング（１１）に光源（２０）が組み付けられており、光源（２０）からの直接光はケーシング（１１）の内側で反射され、この反射された間接光によりケーシング（１１）の下方を間接的に照らす。これにより、光源（２０）からのグレアを低減することができ、間接照明としての演出効果を高めることができる。
【００１７】
ケーシング（１１）の内側では、所定箇所より延出部（１４）が下方に向かって一体に延出しており、この延出部（１４）に光源（２０）は所定の配光向きに組み付けられる。そして、光源（２０）からの直接光のうち、ケーシング（１１）の開口より下方に向かう照射範囲の一部は、延出部（１４）によって遮られる。このため、光源（２０）からの直接光が天井の下方に向かって直接照射されることはない。ここで延出部（１４）や反射面（１３ａ）となるケーシング（１１）の内側の形状を工夫することにより、主に間接光の照射に関して目的や用途に応じた様々な配光制御が可能となる。
【００１８】
しかも、前記延出部（１４）は、単に光源（２０）を組み付けるための部位や、直接光（ないし間接光）を遮るための配光制御の部位であるだけでなく、光源（２０）以外の付属品を取り付けることが可能な取付空間（１７）を有している。これにより、ケーシング（１１）の内側における延出部（１４）の取付空間（１７）を、予め確保された空きスペースとして、様々な付属品を取り付けるための用途に有効活用することができる。
【００１９】
前記延出部（１４）の取付空間（１７）は、具体的には例えば前記［２］に記載したように、下方を向く開口溝（１７ａ）と、該開口溝（１７ａ）の内側に拡がる内部空隙（１７ｂ）を備えるものである。これにより、付属品の一部分を内部空隙（１７ｂ）に収納した状態に取り付けると共に、付属品の他部分を開口溝（１７ａ）より下方に露出させるような取り付け態様が可能となる。
【００２０】
このような延出部（１４）に取り付ける付属品としては、具体的には例えば前記［３］に記載したように、中吊り広告（３０）が適している。ここで中吊り広告（３０）の上端側の保持手段（３１，４０，５０）を、前記取付空間（１７）の内部空隙（１７ｂ）に収納した状態に取り付けると共に、該中吊り広告（３０）の上端側より下方の紙面を前記取付空間（１７）の開口溝（１７ａ）より下方に垂下させると良い。
【００２１】
これにより、照明装置（１０，１０Ａ，１０Ｂ）を広告媒体としても活用することができ、しかも、広告を間近の照明によって明るく照らすことができる。なお、中吊り広告（３０）の保持手段（３１，４０，５０）は、広告の上端側を留めることができるものであれば何でも良く、広告の上端側を挟持するフック、あるいは一対のローラ、さらに広告をロールカーテン状に巻き取る手段等であってもかまわない。
【００２２】
また、前記［４］に記載したように、前記中吊り広告（３０）の全部を、前記取付空間（１７）の内部空隙（１７ｂ）に収納可能とすれば、広告を使用しない時に収納しておくことが可能となり、通行の邪魔になることを防ぐことができる。このような中吊り広告（３０）の収納は、広告をロールカーテン状に巻き取る手段等によって実現することができる。
【００２３】
また、前記［５］に記載したように、前記中吊り広告（３０）は、紙媒体のように平面的なものに限られることなく、立体的形状のものも含まれる。これにより、変化に富んだ広告が可能となり、広告に対する乗客の興味をいっそう惹き付けることができる。
【００２４】
前記［６］に記載の照明装置（１０，１０Ａ，１０Ｂ）によれば、前記ケーシング（１１）は、長尺に延びる同一断面の形状であって、その長手方向に延びる中央部（１２）より両側に拡がり互いに平行に延びる両側部（１３，１３）は、それぞれ徐々に下向きに湾曲した円弧形断面に形成されて、該円弧形断面の内側が反射面（１３ａ）となる。このような断面形状であるケーシング（１１）の内側が下方に向かい開口する。
【００２５】
そして、前記延出部（１４）は、ケーシング（１１）の長手方向に延びる同一断面の形状であって、前記中央部（１２）から一対の側壁リブ（１５）が左右対称に下方に向かい鉛直より上向きの角度で互いに離隔するように垂下し、それぞれの下端に上向きに湾曲した円弧断面の底壁リブ（１６）が連結してなる。
【００２６】
ここで一対の底壁リブ（１６）の互いに対向した端縁間の隙間が、前記取付空間（１７）の開口溝（１７ａ）となり、前記一対の側壁リブ（１５）および底壁リブ（１６）で囲まれた内側が、前記取付空間（１７）の内部空隙（１７ｂ）となる。また、一対の側壁リブ（１５）の外面に沿って、前記光源（２０）を長手方向に並べて組み付ける。
【００２７】
このようにして、照明装置（１０，１０Ａ，１０Ｂ）のユニットは完成し、天井側に取り付けられる。かかる照明装置（１０，１０Ａ，１０Ｂ）では、下方に向けて間接光を照射する一方、天井に沿った両側方向に向けて直接光を照射する配光制御も可能となる。また、光源（２０）を前述した所定の配光向きに組み付ける延出部（１４）において、そのデッドスペースをそのまま前記取付空間（１７）として生かすことができる。
【００２８】
また、前記一対の底壁リブ（１６）が両側方向に延びる長さの設計により、光源（２０）からの直接光ないし間接光の照射範囲を適宜定めることができ、さらに、光源（２０）を覆う保護カバー（２３）が万一破損した時に、その破片を受け入れるように設計することもできる。このような照明装置（１０，１０Ａ，１０Ｂ）は、鉄道車両（１）の客室内（２）における天井側の基準面より内側に、前記ケーシング（１１）を埋め込む状態に設置すると良い。
【００２９】
さらに、前記［７］に記載したように、前記ケーシング（１１）の延出部（１４）に取り付ける付属品として、前記広告の他に香りを放出する芳香器を含めるようにしても良い。これにより、客室内（２）に不快な臭気がこもることを防止したり、乗客に対して癒しの効果を付加することもできる。
【発明の効果】
【００３０】
本発明に係る照明装置によれば、ケーシングの内側に生じた空きスペースを、他の付属品の取り付け箇所として有効に活用することができ、例えば広告を取り付けた場合には、該広告を明るく照らすことができ、さらに、照明装置に広告媒体という付加価値を加えることにより、商品価値を高めることができると共に広告収入を得ることも可能となる。
【図面の簡単な説明】
【００３１】
【図１】本発明の第１実施の形態に係る照明装置の一端部を拡大して示す端面図である。
【図２】本発明の第１実施の形態に係る照明装置を示す斜視図である。
【図３】本発明の第１実施の形態に係る照明装置を示す正面図である。
【図４】本発明の第１実施の形態に係る照明装置を示す平面図である。
【図５】本発明の第１実施の形態に係る照明装置を示す底面図である。
【図６】本発明の第１実施の形態に係る照明装置に取り付ける中吊り広告の止め金具（保持手段）を示す斜視図である。
【図７】本発明の第１実施の形態に係る照明装置の変形例を示す斜視図である。
【図８】本発明の第１実施の形態に係る照明装置の直接光および間接光の照射範囲を模式的に示す端面図である。
【図９】本発明の第１実施の形態に係る照明装置を鉄道車両の客室内の天井部に取り付けた状態を概略的に示す断面図である。
【図１０】本発明の第２実施の形態に係る照明装置の一端部を拡大して示す端面図である。
【図１１】本発明の第３実施の形態に係る照明装置の一端部を拡大して示す端面図である。
【発明を実施するための形態】
【００３２】
以下、図面に基づき、本発明を代表する各種実施の形態を説明する。  
図１〜図９は、本発明の第１実施の形態を示している。  
図１に示すように、照明装置１０は、天井側に取り付けられて下方に向かい内側が開口するケーシング１１を備え、該ケーシング１１に組み付けられた光源２０からの直接光がケーシング１１の内側で反射され、該反射された間接光によりケーシング１１の下方を間接的に照らすものである。かかる照明装置１０は、乗物の客室内２における天井部３に配置されるものであり、以下、鉄道車両１に適用した例について説明する。
【００３３】
図９に示すように、照明装置１０は、鉄道車両１の客室内２の天井部３に設置されるものであり、天井部３に沿って前後方向に延びるように設置される。照明装置１０は、長手方向に延びる複数のユニットが一列となるように順次繋がれている。ユニットの主要部をなすケーシング１１は、その開口側を下方に向けた状態で天井部３に設置されている。天井部３には、前後方向に延びる中心線を対称軸として、左右対称に並ぶ一対の凹溝３ａ，３ａが形成されており、それぞれの凹溝３ａにケーシング１１は埋設される。
【００３４】
図１〜図５に示すように、ケーシング１１の内側の所定箇所である中央部１２に沿って、下方に向かって一体に延出する延出部１４が形成されている。この延出部１４は、光源２０が所定の配光向きに組み付けられると共に、該光源２０からの直接光のうち下方に向かう照射範囲の一部を遮る部位である。このようなケーシング１１は、アルミニウム等の金属や不燃性の樹脂等により容易に押出し成形することができる形状となっている。
【００３５】
詳しく言えばケーシング１１は、長尺に延びる同一断面の形状であって、その長手方向に延びる中央部１２より両側に拡がり互いに平行に延びる両側部１３，１３は、それぞれ徐々に下向きに湾曲した円弧形断面に形成されて、該円弧形断面の内側が反射面１３ａとなっている。このようにケーシング１１は、その断面形状において左右一対となる反射面１３ａを内側に備えている。各反射面１３ａは、光反射効率が高くなる表面処理が施されている。具体的には例えば、白色塗料を塗布したり、あるいは鏡面加工しても良い。
【００３６】
ケーシング１１の中央部１２より垂下した延出部１４は、ケーシング１１の長手方向に延びる同一断面の形状であり、ケーシング１１と一体的に成形されている。かかる延出部１４は、後述する光源２０を組み付ける部位の他に、該光源２０以外の付属品を取り付けることが可能な取付空間１７を有している。詳しく言えば延出部１４は、前記中央部１２から一対の側壁リブ１５，１５が左右対称に下方に向かい鉛直より上向きの角度で互いに離隔するように垂下し、それぞれの下端に上向きに湾曲した円弧断面の底壁リブ１６，１６が連結してなる。
【００３７】
前記延出部１４のうち一対の底壁リブ１６，１６の互いに対向した端縁間の隙間が、前記取付空間１７の開口溝１７ａとなり、一対の側壁リブ１５，１５および一対の底壁リブ１６，１６で囲まれた内側が、前記取付空間１７の内部空隙１７ｂとなっている。このように延出部１４の取付空間１７は、下方を向く開口溝１７ａと、該開口溝１７ａの内側に拡がる内部空隙１７ｂを備え、光源２０以外の付属品の一部分を、内部空隙１７ｂに収納した状態に取り付けると共に、付属品の他部分を、開口溝１７ａより下方に露出させることができる。なお、付属品の一例である中吊り広告３０については後述する。
【００３８】
また、ケーシング１１の両側部１３，１３の下端縁と、延出部１４の両底壁リブ１６，１６の上端縁とは、その間より次述する光源２０からの直接光を側方に照射できる位置関係に配置されている（図８参照）。ここでケーシング１１の中央部１２と延出部１４の底壁リブ１６との間は、光源２０の収納空間となっており、一対の側壁リブ１５，１５の外面に沿って光源２０が長手方向に並ぶように組み付けられている。なお、光源２０の種類は特に限定されないが、ＬＥＤであることが好ましい。ＬＥＤは小型であること、低消費電力であること、それに長寿命であるという利点を有する。
【００３９】
本実施の形態における光源２０は、細幅状に延びる基板２１上に表面実装型のＬＥＤチップ２２を等間隔に複数配列させて固定したものである。ここでＬＥＤチップ２２は、一般的であるので詳細な説明は省略するが、基板２１に対して直交する光軸を中心に所定角度の放射範囲で光を出射するタイプが用いられる。ＬＥＤチップ２２の発光色は任意に選択できる。基板２１はその一面が実装面であり、該実装面上にＬＥＤチップ２２が電気的に接続される配線回路が形成されている。なお、基板２１の実装面上には、ＬＥＤチップ２２を覆うように蛍光体層を積層させても良い。
【００４０】
図１に示すように、光源２０の基板２１は、前記各側壁リブ１５の外面に沿って、それぞれ上向きの角度で側方を向く状態に組み付けられている。詳しく言えば、各側壁リブ１５の上端が連なる中央部１２の両脇と、各側壁リブ１５の下端が連なる各底壁リブ１６の内側には、上下に対向する一対のレール溝１８ａ，１８ａが設けられており、各レール溝１８ａの間に、基板２１の両側端縁がそれぞれ摺動可能に嵌合している。
【００４１】
また、前記光源２０の前方には保護カバー２３が装着されている。この保護カバー２３は、前記基板２１と同じく細幅状に延びる同形状の平板状に形成されている。保護カバー２３の材質は、アクリル樹脂やＰＣ樹脂等の光透過性材料であれば特に限定されないが、加工の容易性等の理由からガラスではなく合成樹脂であることが好ましい。なお、保護カバー２３は無色透明の他、有色透明であっても良く、また、保護カバー２３に光拡散剤を含有させて、保護カバー２３内で積極的に光を拡散させても良い。
【００４２】
図１に示すように、保護カバー２３は、ケーシング１１の中央部１２と各底壁リブ１６の内側との間に沿って、それぞれ光源２０の基板２１を外側から囲む状態に装着されている。詳しく言えば、前記中央部１２の両端下方と、各底壁リブ１６の上端縁寄りの箇所に、上下に対向する一対のレール溝１８ｂ，１８ｂが設けられており、各レール溝１８ｂの間に、保護カバー２３の両側端縁がそれぞれ摺動可能に嵌合している。ここで保護カバー２３は、各底壁リブ１６の上端縁より内側に位置している。
【００４３】
このように、延出部１４の底壁リブ１６は、保護カバー２３の全域に対して鉛直方向に重なる位置まで少なくとも延出しており、保護カバー２３が万一破損した際に、その破片（溶融物も含む）を受け入れる形状に形成されている。ここで保護カバー２３は、水平面に対する垂直面をなすことから、下方から乗客の荷物等が直接的には当たりにくい構造となっており、また、万一何らかの衝撃が加わり破損した場合には、その破片は内側に向かうことになり、底壁リブ１６上に受け止められる。
【００４４】
本実施の形態における取付空間１７には、前記光源２０（保護カバー２３も含む）以外の付属品として中吊り広告３０が別途取り付けられている。ここで中吊り広告３０とは、天井側より吊り下げる横長の長方形の紙による広告であり、その片面ないし両面に広告内容を記載している。一般に、中吊り広告３０の紙面上端側は保持手段によって保持されるが、この保持手段の部分が、取付空間１７の内部空隙１７ｂに収納した状態に取り付けられ、中吊り広告３０の上端側より下方の紙面は、取付空間１７の開口溝１７ａより下方に垂下させた状態となる。
【００４５】
なお、中吊り広告３０は、照明装置１０の全長に亘る長さである必要はなく、適当な長さに分断した複数の広告（図２参照）を用いたり、あるいは照明装置１０の全長に亘る長さの１枚の広告（図７参照）を用いても良い。広告の内容は特に限定されるものではなく、例えば鉄道会社自身やその系列会社の宣伝、鉄道沿線にある店舗（百貨店や専門店等）、あるいは雑誌（月刊誌、週刊誌等）の広告等、多岐に亘るものである。
【００４６】
本実施の形態における中吊り広告３０の保持手段は、紙面上端を挟持する止め金具３１からなる。図６に示すように、止め金具３１は、Ｌ字形断面のアングル材を開閉可能に軸３２を介して連結してなり、開閉する一対の挟持片３３，３３の少なくとも片側内面には、紙面を止める突起３３ａが設けられている。このような止め金具３１には、特に各挟持片３３が合わさる閉じ状態に付勢するための手段は備えず、閉じ状態で互いに水平に連なる一対の上端片３４，３４を、当該状態で前記取付空間１７の内部空隙１７ｂに収納することで保持される。
【００４７】
詳しくは図１に示すように、前記延出部１４の各側壁リブ１５の下端が連なる各底壁リブ１６の内側には、左右に対向する一対のレール溝１８ｃ，１８ｃが設けられている。この各レール溝１８ｃの間に、中吊り広告３０を挟んで閉じ状態にした止め金具３１の水平に連なる一対の上端片３４，３４の両側端縁をそれぞれ摺動可能に嵌合させれば、当該閉じ状態のまま保持される。なお、止め金具３１の長さも、広告同様に照明装置１０の全長に合わせる必要はなく、複数の広告（図２参照）に対応させて分断したものを、互いに長手方向に連なるようにしても良い。
【００４８】
以上のような照明装置１０では、図８に示すように、光源２０から左右２方向へ照射された直接光は、それぞれ光源２０が対向する側にあるケーシング１１の側部１３の反射面１３ａにより反射され、下方の客室内２に向かうように設定されている。ただし、各反射面１３ａにより反射された間接光の一部は、延出部１４によって光源２０からの直接光と共に下方への照射が遮られる。
【００４９】
また、光源２０からの直接光のうち、ケーシング１１の両側部１３の下端縁と、延出部１４の底壁リブ１６の上端縁との間から側方に向かう直接光は、客室内２の天井部３と側壁面部４の境界付近に到達するように設定されている。天井部３と側壁面部４の境界に沿って額面広告６が展開されており、ケーシング１１の隙間より側方に出射された直接光は、額面広告６の全面に到達する。
【００５０】
次に、第１実施の形態に係る照明装置１０の作用について説明する。  
図９に示すように、本照明装置１０は、鉄道車両１の客室内２の天井部３に、ケーシング１１をその開口側を下方に向けて凹溝３ａ内に埋設する。照明装置１０は、ケーシング１１の中央部１２の上端面において、取付金具やネジ等の固定手段を介して凹溝３ａに取り付けられる。ここで、照明装置１０のユニットをなすケーシング１１を複数繋げることにより、所望の長さまで適宜延ばすことができる。
【００５１】
本実施の形態では、ケーシング１１の両側部１３の下端縁が天井部３の基準面と同じ高さ位置となるため、照明装置１０と天井部３の一体感が高まる。また、天井部３の中心線を対称軸として、左右対称に並ぶように一対の照明装置１０を設置するから、客室内２を左右両側からバランス良く広範囲に照らすことができる。なお、左右の照明装置１０は、それぞれ個別に点灯制御できるようにしても良い。
【００５２】
しかも、本照明装置１０では、光源２０にＬＥＤチップ２２を用いたことにより、所望の明るさを低い電力消費で得られる。また、蛍光灯等に比べて装置全体を小型化することができ、乗客に対しての圧迫感が少なく、客室内２に合わせて形状も自由にデザインすることが可能となる。また、ユニットの主要部をなすケーシング１１は、アルミニウム等の金属により容易に押出し成形することができる形状であり、製造コストも低減することができる。
【００５３】
図８に示すように、光源２０は主に側方に光を出射する配光向きでケーシング１１の延出部１４に組み付けられている。光源２０からの直接光のうち水平面より上向きの光は、ケーシング１１の両側部１３，１３の内側にある反射面１３ａによって下方へ反射される。この反射した間接光によって客室内２は照らされる。また、光源２０からの直接光のうち、ケーシング１１の開口より下方に向かう照射範囲の一部は、延出部１４によって遮られる。
【００５４】
これにより、光源２０からの直接光が客室内２（特に座席５のある領域）に届くことはなく、前述したように客室内２は反射面１３ａにより反射拡散された間接光によって照らされる。従って、客室内２における眩しさを低減して全体的に柔らかく照らすことができ、落ち着いた雰囲気が醸し出される。ここで延出部１４や反射面１３ａの形状を工夫することにより、客室内２での目的や用途に応じた様々な配光制御も可能となる。具体的な配光制御としては、客室内２を均一に照射したり、客室内２の通路や座席５等の特定部位を明るくしたりすること等が考えられる。
【００５５】
しかも、前記延出部１４は、単に光源２０を組み付けるための部位や、直接光ないし間接光を遮るための配光制御の部位であるだけでなく、光源２０以外の付属品を取り付けることが可能な取付空間１７を有している。この取付空間１７を、予め確保された空きスペースとして、様々な付属品を取り付けるための用途に有効活用することができる。特に、本実施の形態に係るケーシング１１では、光源２０の配光向きの設計上、光源２０を取り付ける一対の側壁リブ１５，１５の間にデッドスペースが必然的に生じるため、このデッドスペースをそのまま取付空間１７として生かすことができる。
【００５６】
図１に示すように、前記取付空間１７は、下方を向く開口溝１７ａと、該開口溝１７ａの内側に拡がる内部空隙１７ｂを備える。これにより、付属品の一部分を内部空隙１７ｂに収納した状態に取り付けると共に、付属品の他部分を開口溝１７ａより下方に露出させるような取り付け態様が可能となる。ここで付属品としては、具体的には例えば中吊り広告３０が適している。本実施の形態では、中吊り広告３０の上端側の保持手段である止め金具３１を、取付空間１７の内部空隙１７ｂに収納した状態に取り付けると共に、該中吊り広告３０の上端側より下方の紙面を、開口溝１７ａから下方に垂下させている。
【００５７】
図６に示すように、止め金具３１は、Ｌ字形断面のアングル材を開閉可能に軸３２を介して連結してなり、一対の挟持片３３，３３の間に中吊り広告３０の上端縁を挟むように閉じる。かかる閉じ状態にて、水平に連なる一対の上端片３４，３４の両側端縁を、ケーシング１１の一端側より取付空間１７にある各レール溝１８ｃの間に挿入すれば、容易に延出部１４に中吊り広告３０を取り付けることができる。延出部１４から中吊り広告３０を外す場合には、ケーシング１１の一端側より止め金具３１を抜き去れば良く、定期的に他の中吊り広告３０と置き変える作業も容易に行うことができる。
【００５８】
これにより、照明装置１０を広告媒体としても活用することができ、しかも、広告を間近の照明によって明るく照らすことができる。すなわち、ケーシング１１の両側部１３，１３における各反射面１３ａにより反射された間接光は、延出部１４の下方の位置で交差するが中吊り広告３０に遮られて、この中吊り広告３０の両面を明るく照らすことができる（図８参照）。以上のように、照明装置１０に広告媒体という付加価値を加えることにより、照明装置１０自体の商品価値を高めることができると共に、広告収入を得ることも可能となる。
【００５９】
また、照明装置１０において、側壁面部４を向く側にある光源２０から側方に出射された光は、ケーシング１１の両側部１３の下端縁と、延出部１４の底壁リブ１６の上端縁との間を通り、そのまま直接光として、客室内２の天井部３と側壁面部４の境界付近まで到達する。そのため、照明装置１０は、従来のように客室内２において座席５のある領域を照射するだけでなく、特に、客室内２の天井部３と側壁面部４の境界付近、すなわち一般に窓上の広告スペースに対しては直接光を照射することができる。
【００６０】
これにより、図９に示すように、天井部３と側壁面部４の境界に沿って、天井部３の基準面から側壁面部４に亘り曲がるように展開された額面広告６の全面、特に天井面に沿った部分も、直接光で明るく照らして目立たせることができる。また、１つの照明装置１０によって額面広告６の全面を照射する配光とすることが可能となり、額面広告６に班、影、線等が生じることなく、乗客からは額面広告６がより見やすくなる。
【００６１】
さらに、ケーシング１１には、光源２０を外側から覆う保護カバー２３を装着している。よって、光源２０から照射された光は保護カバー２３を透過することにより、光源２０の輝度が低減されて過度の強い光の照射を防止することができる。また、光源２０の故障の原因となり得る他の物体の接触を防ぎ、光源２０を保護することができる。ここで保護カバー２３は、水平面に対して垂直となる状態に取り付けられており、下からの物が触れることはあり得るが、保護カバー２３に対して衝撃が垂直方向から強く加わる可能性は低い。また、保護カバー２３の垂直面には埃がたまることもない。
【００６２】
保護カバー２３は合成樹脂で形成すれば、仮に乗客の荷物等が当たっても蛍光管のように容易に破損することはないが、保護カバー２３が予期せず外れたり万一破損した場合には、その破片は延出部１４の底壁リブ１６によって受け止められて客室内２に落下することはない。延出部１４は、ケーシング１１に一体成形されており、着脱自在な別部材のように外れる虞はない。かかる延出部１４の底壁リブ１６は、保護カバー２３の全域に対して鉛直方向に重なる位置まで少なくとも延出し、保護カバー２３が万一破損した際には、その破片を受け入れる形状に形成されている。
【００６３】
図１０は、本発明の第２実施の形態を示している。  
本実施の形態に係る照明装置１０Ａは、前述した第１実施の形態に係る照明装置１０と基本的な構成は共通するが、ケーシング１１の延出部１４に取り付ける中吊り広告３０の保持手段が前記止め金具３１とは異なる。なお、第１実施の形態と同種の部位には同一符号を付して重複した説明を省略する。
【００６４】
本実施の形態では、中吊り広告３０の上端側の保持手段が、延出部１４にある取付空間１７の内部空隙１７ｂに収納された一対のローラ４０，４０からなる。各ローラ４０は、それぞれ支持アーム４１を介して、内部空隙１７ｂの両側を仕切る各側壁リブ１５の内面側に取り付けられている。よって、延出部１４にあった前記レール溝１８ｃは不要となる。各ローラ４０は、ゴム等の弾性材質で成形されており、互いに弾発的に当接するように配置されている。この各ローラ４０の間に、中吊り広告３０の上端縁を挟み込むように取り付けることができる。
【００６５】
このような保持手段によれば、中吊り広告３０は、その上端縁側を取付空間１７の開口溝１７ａを通して内部空隙１７ｂに挿入すれば、各ローラ４０の回転ないし弾発力により確実に保持され、また、強い力で下方へ引くことにより取り外すことができる。このように、中吊り広告３０を取り付けたり取り外す時は、各ローラ４０の回転により容易に着脱作業を行うことができる。
【００６６】
なお、各ローラ４０の長さは、前述した広告の場合と同様に照明装置１０Ａの全長に亘る長さである必要はなく、複数の広告（図２参照）に対応させて分断したものを、互いに長手方向に連なるように延出部１４内に取り付けても良い。また、各ローラ４０を回転可能に支持する支持アーム４１を揺動可能に支持して、互いに接する方向に付勢したり、あるいは支持アーム４１自体の弾性変形で互いに接するよう支持しても良い。
【００６７】
図１１は、本発明の第３実施の形態を示している。  
本実施の形態に係る照明装置１０Ｂは、前述した第２実施の形態に係る照明装置１０Ａとケーシング１１の形状も全く同一であるが、延出部１４に取り付ける中吊り広告３０の保持手段が異なる。なお、第１実施の形態と同種の部位には同一符号を付して重複した説明を省略する。
【００６８】
本実施の形態では、中吊り広告３０の上端側の保持手段が、延出部１４にある取付空間１７の内部空隙１７ｂに収納されたロール部材５０からなる。このロール部材５０は、支持アーム５１を介して、内部空隙１７ｂの片側を仕切る側壁リブ１５の内面側に回転自在に取り付けられている。ロール部材５０には、ロールカーテン状の中吊り広告３０が巻き付けられている。ここでロール部材５０や中吊り広告３０の長さは、照明装置１０Ｂの全長に亘る長さである必要はなく、複数の広告（図２参照）に対応させて分断したものを、互いに長手方向に連なるように延出部１４内に取り付けても良い。
【００６９】
ロール部材５０に巻き付けられた中吊り広告３０は、その下端より前記開口溝１７ａから引き出したり、巻き戻すことが可能に構成されている。特に、ロール部材５０の回転を中吊り広告３０の収納方向に付勢しておけば、中吊り広告３０の収納を容易に行うことができる。また、ロール部材５０には、図示省略したが中吊り広告３０を引き出した所定の位置で回転不能に拘束できるロック機構が設けられている。このような構成は、周知のロールカーテンの技術を利用したものであり詳細な説明は省略する。
【００７０】
本実施の形態に係る保持手段によれば、中吊り広告３０の全部を、取付空間１７の内部空隙１７ｂに収納しておくことが可能となる。従って、広告を使用しない時に収納しておくことにより、通行の邪魔になることを防ぐことができる。また、中吊り広告３０の材質は、何度も引き出したり巻き戻す関係上、紙よりも丈夫な布等の生地を採用して強度を高めると良い。なお、中吊り広告３０の下端縁に沿って、巻き取り時の中吊り広告３０のシワを防止するために、紙面の下端縁を水平に展開させるバー５２が止着されている。
【００７１】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、鉄道車両１の客室内２の天井部３に設置する例を説明したが、航空機や自動車等の他の乗物における客室内の間接照明に適用しても良い。また、ケーシング１１の具体的な形状も図示した例に限定されることはない。
【００７２】
また、天井部３に凹溝３ａを設けて、この凹溝３ａにケーシング１１を埋め込むように取り付けたが、天井部３に凹溝３ａを設けることなく、天井部３の基準面上にケーシング１１をそのまま出っ張る状態で取り付けても良い。また、前記各種実施の形態では、光源２０としてＬＥＤチップ２２を使用した例を説明したが、他に例えば、小型電球等を使用しても良い。さらに、保護カバー２３は、必ずしも設ける必要はなく省略してもかまわない。
【００７３】
また、前記第１、２実施の形態において、各保持手段により吊り告げる中吊り広告３０は、必ずしも紙媒体のように平面的なものに限られることなく、立体的形状のものを含めても良い。具体的には例えば、紙媒体の表面に飲料容器（宣伝商品）の模型等を貼り付けたり、あるいは飲料容器（宣伝商品）の模型そのものを吊り下げることもできる。これにより、変化に富んだ広告が可能となり、広告に対する乗客の興味をいっそう惹き付けることができる。
【００７４】
また、前記各保持手段も、止め金具３１、一対のローラ４０，４０、ロール部材５０に限られるものではなく、中吊り広告３０の上端側を留めることができるものであれば何でも良い。さらに、前記延出部１４の取付空間１７に取り付ける付属品も中吊り広告３０に限られることなく、他の様々な物品に適用することができる。
【００７５】
具体的には例えば、他の付属品として、前記中吊り広告３０の他に香りを放出する芳香器を含めるようにしても良い。ここで芳香器とは、単に芳香剤を収納した容器の類の他、別の箇所に設けた芳香剤の貯留部より導いた芳香剤を拡散する手段（例えば噴霧ノズル）であっても良い。また、芳香剤には消臭剤を含めたり、あるいは芳香剤の代わりに消臭剤を採用しても良い。このように、他の付属品として芳香器を採用すれば、客室内に不快な臭気がこもることを防止したり、乗客に対して癒しの効果を付加することもできる。
【産業上の利用可能性】
【００７６】
本発明に係る照明装置は、鉄道車両や航空機、自動車等の客室内の間接照明等に幅広く利用することができる。
【符号の説明】
【００７７】
１…鉄道車両
２…客室内
３…天井部
３ａ…凹溝
４…側壁面部
５…座席
６…額面広告
１０…照明装置
１０Ａ…照明装置
１０Ｂ…照明装置
１１…ケーシング
１２…中央部
１３…側部
１４…延出部
１５…側壁リブ
１６…底壁リブ
１７…取付空間
１７ａ…開口溝
１７ｂ…内部空隙
１８ａ…レール溝
１８ｂ…レール溝
１８ｃ…レール溝
２０…光源
２１…基板
２２…ＬＥＤチップ
２３…保護カバー
３０…中吊り広告
３１…止め金具
３２…軸
３３…挟持片
３４…上端片
４０…ローラ
４１…支持アーム
５０…ロール部材
５１…支持アーム
５２…バー
【図１】
2014048420.tif 000003
【図２】
2014048420.tif 000004
【図３】
2014048420.tif 000005
【図４】
2014048420.tif 000006
【図５】
2014048420.tif 000007
【図６】
2014048420.tif 000008
【図７】
2014048420.tif 000009
【図８】
2014048420.tif 000010
【図９】
2014048420.tif 000011
【図１０】
2014048420.tif 000012
【図１１】
2014048420.tif 000013